(57)【特許請求の範囲】
【請求項１】
取り付け面にて基板ボックスが取り付けられ遊技機本体に装着可能なベース部材と、 
上記取り付け面に形成された貫通穴と、 
上記基板ボックスを上記ベース部材に取り付けたときに同基板ボックスにおける上記貫
通穴に対向する部位に形成された第一の符合部と、
遊技機本体に設けられる機種依存部材と、 
上記機種依存部材から延設され、上記基板ボックスが取り付けられた上記ベース部材が
上記遊技機本体に装着されたとき、上記貫通穴を介して上記第一の符合部と対向する上記
第二の符合部とを具備することを特徴とする遊技機。
【請求項２】
取り付け面にて基板ボックスが取り付けられ遊技機本体に装着可能なベース部材と、
上記取り付け面に形成された複数の仮穴と、
上記仮穴のそれぞれを塞ぐとともに、上記取り付け面と切断可能な細幅部を介して接合
する蓋部と、
上記基板ボックスを上記ベース部材に取り付けたときに同基板ボックスにおける複数の
上記仮穴のいずれか対向する部位に突設された符合突起とを具備することを特徴とする遊
技機。
【請求項３】
取り付け面にて基板ボックスが取り付けられ遊技機本体に装着可能なベース部材と、 
上記取り付け面に形成された貫通穴と、 
上記基板ボックスを上記ベース部材に取り付けたときに同基板ボックスにおける上記貫
通穴に対向する部位に形成された第一の符合部と、
遊技機本体に設けられる機種依存部材と、 
上記機種依存部材から延設され、上記基板ボックスが取り付けられた上記ベース部材が
上記遊技機本体に装着されたとき、上記貫通穴を介して上記第一の符合部と対向する上記
第二の符合部と、
上記取り付け面に形成された複数の仮穴と、
上記仮穴のそれぞれを塞ぐとともに、上記取り付け面と切断可能な細幅部を介して接合
する蓋部と、
上記基板ボックスを上記ベース部材に取り付けたときに同基板ボックスにおける複数の
上記仮穴のいずれかに対向する部位に突設された符合突起とを具備することを特徴とする
遊技機。
【発明の詳細な説明】
【技術分野】
【０００１】
本発明は、遊技機に関し、特に基板を収容する基板ボックスを備える遊技機に関する。
【背景技術】
【０００２】
遊技機は機種毎に異なる動作をするため、異なる機種用の基板が誤って遊技機に取り付
けられると正常に動作しない。また、同一の機種が仕様の異なる複数のシリーズを有する
こともある。この場合、外観上は類似するシリーズを区別することが難しく、基板がシリ
ーズ間で間違えて取り付けられてしまうという課題があった。さらに、異なるシリーズで
も同一の機種であれば、ある程度基板が互換性を有している可能性があり、不適正な制御
基板が取り付けられても外観上は正常な動作をすることがあった。この場合、基板が間違
えて取り付けられたことに早く気付くことができない。
【０００３】
この問題に対して、遊技機の機種に対応した制御基板が取り付けられているかどうかを
、電気的な識別情報によって確認するものが提案されている（例えば、特許文献１、参照
。）。
【０００４】
かかる構成によれば、複数の制御基板に備えられた識別情報をＲＯＭ等から読み取り、
これらの一致性を判断することによって、適正な制御基板が取り付けられているかどうか
を判断することが可能であった。
【特許文献１】特開２０００−７９２６２号公報
【発明の開示】
【発明が解決しようとする課題】
【０００５】
しかしながら、電気的な識別情報の整合性を確認するためには、各制御基板を電気的に
接続しなければならず、組み立て工程の最終段階でなければ確認することができないとい
う課題があった。また、識別情報を記憶可能なＲＯＭ等を備えない非電子部材についての
整合性を確認することができないという課題もあった。
【０００６】
一方、遊技機の動作を司る基板は不正の対象となりやすい。特に、基板が同基板を封止
する基板ボックスごと取り替えられるという不正が行われ、問題となっている。このよう
な不正は、偽造の基板を封止した偽造の基板ボックスを予め作成しておき、この偽造基板
ボックスを付け替えることにより行われている。特に、人気機種の人気シリーズにおいて
は長期間にわたって同仕様の遊技機が生産されるため、不正を行う者が偽造基板ボックス
を予め用意しておくことは容易である。
【０００７】
本発明は、上記課題にかんがみてなされたもので、基板ボックスが誤った機種に取り付
けられることを防止するとともに、基板ボックスの付け替えがされにくい遊技機の提供を
目的とする。
【課題を解決するための手段】
【０００８】
上記目的を達成するため、請求項１にかかる発明では、取り付け面にて基板ボックスが
取り付けられ遊技機本体に装着可能なベース部材と、上記取り付け面に形成された貫通穴
と、上記基板ボックスを上記ベース部材に取り付けたときに同基板ボックスにおける上記
貫通穴に対向する部位に形成された第一の符合部と、遊技機本体に設けられる機種依存部
材と、上記機種依存部材から延設され、上記基板ボックを取り付けた上記ベース部材が上
記遊技機本体に装着されたとき、上記貫通穴を介して上記第一の符合部と対向する上記第
二の符合部とを具備する構成としてある。
【０００９】
上記のように構成した請求項１の発明において、ベース部材は遊技機本体に装着可能で
あり、同ベース部材における取り付け面にて基板ボックスが取り付けられる。上記取り付
け面には貫通穴が形成される。一方、第一の符合部は、上記基板ボックスを上記ベース部
材に取り付けたとき、同基板ボックスにおける上記貫通穴に対向する部位に形成される。
機種依存部材は遊技機本体に取り付けられ、同機種依存部材を延設することにより第二の
符合部が形成される。この第二の符合部は、上記基板ボックスが取り付けられた上記ベー
ス部材が上記遊技機本体に装着されたとき、上記貫通穴を介して上記第一の符合部と対向
する。
【００１０】
すなわち、上記基板ボックスが取り付けられた上記ベース部材を上記遊技機本体に装着
することにより、同基板ボックスに形成された上記第一の符合部と、上記機種依存部材に
形成された上記第二の符合部とを対向させることができる。このようにすることにより、
上記第一の符合部と上記第二の符合部との対向状態から、上記機種既存部材と上記基板ボ
ックスとの整合性を確認することができる。さらに、上記ベース部材自体は上記機種既存
部材と上記基板ボックスとの整合性の確認に利用されないため、同ベース部材を機種に依
存しない汎用的な部材として形成することができる。例えば、複数の機種の上記第一の符
合部と上記第二の符合部とが対向可能な大きさに上記貫通穴を形成しておくことにより、
複数の機種に使用可能な上記ベース部材を形成することができる。
【００１１】
上記第一の符合部と上記第二の符合部とが整合しない限り上記基板ボックスを上記遊技
機本体に装着することができない。従って、上記基板ボックスを偽造して同基板ボックス
を付け替えるためには、偽造基板ボックスにも上記第一の符合部を形成しなければならな
い。すなわち、機種毎に形状の異なる偽造基板ボックスを用意することが必要となるため
、不正が行われにくくすることができる。
【００１２】
さらに、請求項２にかかる発明は、取り付け面にて基板ボックスが取り付けられ遊技機
本体に装着可能なベース部材と、上記取り付け面に形成された複数の仮穴と、上記仮穴の
それぞれを塞ぐとともに、上記取り付け面と切断可能な細幅部を介して接合する蓋部と、
上記基板ボックスを上記ベース部材に取り付けたときに同基板ボックスにおける複数の上
記仮穴のいずれかに対向する部位に突設された符合突起とを具備する構成としてある。
【００１３】
上記のように構成した請求項２の発明において、上記ベース部材の上記取り付け面に形
成された複数の上記仮穴は上記蓋部によって塞がれる。しかし、上記蓋部と上記取り付け
面とは切断可能な細幅部を介して接続されているため、同細幅部を切断することにより上
記仮穴から上記蓋部を除去することがきる。これにより、上記仮穴が上記蓋部によって塞
がれないようにすることができる。従って、上記基板ボックスを上記ベース部材に取り付
けたとき、符合突起が上記仮穴を貫通することが可能となる。すなわち、予め上記蓋部を
除去しておくことにより、上記蓋部と上記符合突起とを干渉させることなく上記基板ボッ
クスを上記ベース部材に取り付けることができる。
【００１４】
上記基板ボックスにおける上記符合突起を形成する部位は上記仮穴に対向する部位であ
るものの、同符合突起を形成する部位を機種毎に異なる同仮穴に対向する部位とすれば、
異なる機種用の上記基板ボックスが上記ベース部材に誤って取り付けられることを防止す
ることができる。すなわち、機種毎に予めいずれかの上記蓋部を除去しておくことにより
、予め上記蓋部を除去しておいた上記仮穴に対向する部位に上記符合突起が形成された上
記基板ボックスのみを上記ベース部材に取り付けることが可能となる。また、上記ベース
部材を各機種間で汎用することも可能である。すなわち、機種毎に上記蓋部が除去される
上記仮穴が変動させれば足りるため、予め上記ベース部材を機種毎に異なる形状とする必
要はない。
【００１５】
なお、上記基板ボックスにおける上記符合突起を形成する部位を機種毎ではなくシリー
ズ毎に変化させても良い。なお、同一の機種であっても多少の仕様変更に伴い複数のシリ
ーズが設けられることある。各シリーズ間においても取り付けるべき上記基板ボックスが
異なるため、上記の手法により上記ベース部材に取り付け可能な同基板ボックスを制限す
ることは有益である。
【００１６】
また、請求項３にかかる発明は、取り付け面にて基板ボックスが取り付けられ遊技機本
体に装着可能なベース部材と、上記取り付け面に形成された貫通穴と、上記基板ボックス
を上記ベース部材に取り付けたときに同基板ボックスにおける上記貫通穴に対向する部位
に形成された第一の符合部と、遊技機本体に設けられる機種依存部材と、上記機種依存部
材から延設され、上記基板ボックスが取り付けられた上記ベース部材が上記遊技機本体に
装着されたとき、上記貫通穴を介して上記第一の符合部と対向する上記第二の符合部と、
上記取り付け面に形成された複数の仮穴と、上記仮穴のそれぞれを塞ぐとともに、上記取
り付け面と切断可能な細幅部を介して接合する蓋部と、上記基板ボックスを上記ベース部
材に取り付けたときに同基板ボックスにおける複数の上記仮穴のいずれかに対向する部位
に突設された符合突起とを具備する構成としてある。
【００１７】
上記のように構成した請求項３の発明において、上記カバー部材には上記貫通穴ととも
に上記仮穴が形成される。このようにすることにより、上記第一の符合部と上記第二の符
合部との対応、および、上記符合突起の形成部位と上記蓋部が除去された上記仮穴の位置
との対応の双方の対応関係から上記ベース部材および上記遊技機本体に取り付けることが
できる上記基板ボックスを制限することができる。従って、例えば上記第一の符合部と上
記第二の符合部との対応により上記基板ボックスの取り付け機種間違えを防止しつつ、上
記符合突起の形成部位と上記蓋部が除去された上記仮穴の位置との対応により上記基板ボ
ックスの取り付けシリーズ間違えを防止するようなことも可能となる。
【００１８】
本発明は、上記の構成に限られるものではなく、以下の手段も含むものである。 
【００１９】
手段１
手段１にかかる発明は、請求項１または請求項３のいずれかに記載の発明において、上
記基板ボックスに形成された上記第一の符合部は上記貫通穴を貫通して突出する凸部であ
るとともに、当該基板ボックスに対応しない機種の上記遊技機本体に備えられる上記機種
依存部材から延設される上記第二の符合部は上記貫通穴を塞ぐ構成としてある。
【００２０】
すなわち、上記貫通穴を貫通して突出する凸部として上記第一の符合部が上記基板ボッ
クスに形成される。一方、当該基板ボックスに対応しない機種の上記遊技機本体に備えら
れる上記第二の符合部は、上記貫通穴を塞ぐように上記機種依存部材から延設される。こ
のようにすることにより、当該基板ボックスに対応しない機種の上記遊技機本体に備えら
れる上記第二の符合部は、上記第一の符合部が上記貫通穴を貫通して突出しようとするこ
とを妨げることができる。すなわち、上記基板ボックスが上記ベース部材に取り付けられ
た状態で、当該基板ボックスに対応しない上記遊技機本体に同ベース部材が取り付けられ
ることを防止することができる。あるいは、上記ベース部材が上記遊技機本体に取り付け
られた状態で、当該遊技機本体の機種に対応しない上記基板ボックスが上記ベース部材に
取り付けられることを防止することができる。
【００２１】
手段２
手段２にかかる発明は、請求項１または請求項３のいずれかに記載の発明において、上
記遊技機本体に備えられる上記機種依存部材から延設される上記第二の符合部は上記貫通
穴を貫通して突出する凸部であるとともに、当該遊技機本体の機種に対応しない上記基板
ボックスに形成された上記第一の符合部は上記貫通穴を塞ぐ構成としてある。
【００２２】
すなわち、上記第二の符合部を上記貫通穴を貫通して突出する凸部として形成しても良
い。このようにしても、上記手段１と同様に対応し合わない上記遊技機本体と上記基板ボ
ックスとが組み合わせられることを防止することができる。
【００２３】
手段３
手段３にかかる発明は、手段１または手段２のいずれかに記載の発明において、上記第
一の符合部および上記第二の符合部は複数対形成される構成としてある。
【００２４】
すなわち、上記第一の符合部と上記第二の符合部とを複数対形成することより、全ての
対において同第一の符合部と同第二の符合部とが符合しない限り、上記基板ボックスを上
記遊技機本体に取り付けられないようにすることができる。
【００２５】
手段４
手段４にかかる発明は、請求項１または請求項３のいずれかに記載の発明において、上
記基板ボックスに形成された上記第一の符合部は対向する上記第二の符合部に向かって起
伏する第一の凹凸部を有するとともに、当該基板ボックスに対応する機種の上記遊技機本
体に備えられる上記機種依存部材から延設される上記第二の符合部には上記第一の凹凸部
を略反転させた形状の第二の凹凸部が形成される構成としてある。
【００２６】
すなわち、上記第一の符合部には、対向する上記第二の符合部に向かって起伏する第一
の凹凸部が形成される。一方、この第一の符合部が形成された上記基板ボックスに対応す
る上記機種依存部材から延設される上記第二の符合部には、第二の凹凸部が形成される。
そして、この第二の凹凸部は、上記第一の凹凸部を略反転させた形状とされる。対応し合
う上記第一の符合部と上記第二の符合部のそれぞれに形成された上記第一および第二の凹
凸部を符合させることができる。すなわち、上記第一および第二の凹凸部とが互いに嵌り
合わないことによって、上記基板ボックスと上記遊技機本体とが不適正に組み合わせられ
たことを認識することができる。
【００２７】
手段５
手段５にかかる発明は、手段４に記載の発明において、上記第一および第二の凹凸部は
機種毎に異なる形状とされる構成としてある。
【００２８】
すなわち、上記第一および第二の凹凸部の形状を機種毎に異なせることにより、上記遊
技機本体に異機種の上記基板ボックスが取り付けられることを防止することができる。上
記第一および第二の凹凸部とは微妙に形状を変化させることができるため、多くの機種に
も対応することができる。
【００２９】
手段６
手段６にかかる発明は、請求項１または請求項３、または、手段１から手段５のいずれ
かに記載の発明において、上記ベース部材には上記取り付け面において上記基板ボックス
を一定位置に一定方向で位置決めさせるための位置決め機構が形成される構成としてある
。
【００３０】
すなわち、上記取り付け面に対する上記基板ボックスのセット位置と方向が一定となる
ため、確実に上記第一の符合部と上記第二の符合部とを対向させることができる。
【００３１】
手段７
手段７にかかる発明は、請求項１または請求項３、または、手段１から手段６のいずれ
かに記載の発明において、上記ベース部材は上記遊技機本体に対して回動可能に連結され
るとともに、
同ベース部材が同遊技機本体に対して閉じた状態において上記第一の符合部と上記第二
の符合部が対向する構成としてある。
【００３２】
すなわち、上記遊技機本体に対して上記ベース部材を回動可能に連結し、同ベース部材
を同遊技機本体に対して閉じることによって、上記基板ボックスと上記遊技機本体との整
合を確認することができる。
【００３３】
手段８
手段８にかかる発明は、手段５から手段７のいずれかに記載の発明において、上記第一
の符合部および上記第二の符合部は互いに電気的に接続可能なコネクタである構成として
ある。
【００３４】
すなわち、互いに電気的に接続可能なコネクタを上記第一の符合部および上記第二の符
合部として形成することができる。上記基板ボックスに対しは何らかの電気的な配線が接
続されるため、同接続を行うためのコネクタを利用すれば、部品点数を増やすことなく同
基板ボックスと上記遊技機本体との整合を確認することができる。
【００３５】
手段９
手段９にかかる発明は、手段５から手段７のいずれかに記載の発明において、上記第一
の符合部は上記基板ボックスが遊技機に取り付けられた状態において視認可能な位置にお
いて形成され、
上記第一の符合部には、上記第二の符合部における上記第二の凹凸部の突出部のみを貫
通させて露出させる確認穴が形成される構成としてある。
【００３６】
すなわち、上記確認穴から上記第二の凹凸部の上記突出部が突出していることをもって
、適正な上記基板ボックスが上記遊技機本体に取り付けられていることを確認することが
できる。
【００３７】
手段１０
手段１０にかかる発明は、手段９に記載の発明において、上記第一の符合部と上記第二
の符合部とは互いに異なる色に着色されている構成としてある。
【００３８】
すなわち、上記確認穴から露出している上記第二の凹凸部の上記突出部を容易に視認す
ることができるため、適正な上記基板ボックスが上記遊技機本体に取り付けられているこ
とを容易に確認することができる。
【００３９】
手段１１
手段１１にかかる発明は、手段９または手段１０のいずれかに記載の発明において、上
記第二の凹凸部の上記突出部は文字または記号の形状にかたどられる構成としてある。
【００４０】
すなわち、視認可能な上記第二の凹凸部の上記突出部が意味する文字や記号と、上記遊
技機本体の機種とを対応づけて管理することができる。
【００４１】
手段１２
手段１２にかかる発明は、手段９から手段１１のいずれかに記載の発明において、上記
第二の符合部は金属で形成される構成としてある。
【００４２】
すなわち、上記第二の符合部が破壊されることを防止することができるため、不正な上
記基板ボックスに取り替えられることを防止することができる。
【００４３】
手段１３
手段１３にかかる遊技機は、請求項３に記載の発明において、上記基板ボックスおける
上記符合突起が形成される部位は、同基板ボックスが取り付けられる上記遊技機のシリー
ズ毎に変えられる構成としてある。
【００４４】
すなわち、上記符合突起の形成部位と上記蓋部が除去された上記仮穴の位置との対応に
より上記基板ボックスの取り付けシリーズ間違えを防止するようなことも可能となる。
【００４５】
手段１４
手段１４にかかる遊技機は、請求項２または請求項３のいずれかに記載の発明において
、上記基板ボックスおける上記符合突起が形成される部位は、同基板ボックスが取り付け
られる上記遊技機の製造時期毎に変えられる構成としてある。
【００４６】
すなわち、同一機種、同一シリーズの製造期間が長くなる場合にも、上記ベース部材に
取り付け可能な上記基板ボックスを製造時期毎に変化させることができる。このようにす
ることにより、仮にある製造時期に製造された上記遊技機に取り付け可能な偽造基板ボッ
クスが不正者によって製造されたとしても、その偽造基板ボックスが同一機種、同一シリ
ーズである上記遊技機の全てに取り付けられてしまうことを防止することができる。従っ
て、特に人気機種の人気シリーズが長期間にわたり大量に製造されるような場合にも、不
正の被害を抑えることができる。
【００４７】
手段１５
手段１５にかかる発明は、請求項２または請求項３、または、手段１３または手段１４
のいずれかに記載の発明において、上記仮穴は上記基板ボックスが遊技機に取り付けられ
た状態において視認可能な位置において形成される構成としてある。
【００４８】
すなわち、上記仮穴の状態を確認することができるため、不正に上記仮穴の上記蓋部が
除去されているかどうかを確認することができる。また、適正に上記符合突起が上記仮穴
を貫通しているかどうかを確認することができるため、不正な上記基板ボックスが装着さ
れているかどうかも確認することができる。
【００４９】
手段１６
手段１６にかかる発明は、請求項１から請求項３、または、手段１から手段１５のいず
れかに記載の発明において、上記ベース部材は遊技球貯留部や各種基板等が集合的に配設
される機構板である構成としてある。
【００５０】
すなわち、機構板を上記ベース部材として本発明を適用することも可能である。この場
合、上記機構板を上記遊技機本体に対して閉じたときに同遊技機本体と上記基板ボックス
との整合を確認することができる。
【００５１】
手段１７
手段１７にかかる発明は、請求項１から請求項３、または、手段１から手段１６のいず
れかに記載の発明において、上記遊技機はパチロットであり、同パチロット本体に上記ベ
ース部材および上記機種依存部材が取り付けられる構成としてある。
【００５２】
すなわち、パチロットに対しても本発明を同様に適用することができる。
【００５３】
なお、パチロットは、メダルの代わりに一定数のパチンコ球を使用して絵合わせを行う
パチンコ機とスロットマシンの両方の特徴を備えた遊技機である。
【発明の効果】
【００５４】
以上説明したように、請求項１にかかる発明によれば、基板ボックスが誤った機種に取
り付けられることを防止するとともに、基板ボックスの付け替えがされにくい遊技機を提
供することができる。
【００５５】
請求項２にかかる発明によれば、同一の機種において仕様の異なる基板ボックスが複数
設けられる場合にも、適正な基板ボックスのみが取り付けられるようにすることができる
。
【００５６】
請求項３にかかる発明によれば、同一の機種において仕様の異なる基板ボックスが複数
設けられる場合にも、適正な基板ボックスのみが取り付けられるようにすることができる
。
【００５７】
手段１にかかる発明によれば、適正な基板ボックスのみが取り付けられるようにするこ
とができる。
【００５８】
手段２にかかる発明によれば、適正な基板ボックスのみが取り付けられるようにするこ
とができる。
【００５９】
手段３にかかる発明によれば、複数の符合パターンを形成することができる。
【００６０】
手段４にかかる発明によれば、第一の符合部と第二の符合部とを符合させることができ
る。
【００６１】
手段５にかかる発明によれば、異なる機種用の基板ボックスが取り付けられることを防
止できる。
【００６２】
手段６にかかる発明によれば、確実に第一の符合部と第二の符合部とを符合させること
ができる。
【００６３】
手段７にかかる発明によれば、ベース部材を回動可能に取り付けることができる。
【００６４】
手段８にかかる発明によれば、部品点数を減少させることができる。
【００６５】
手段９にかかる発明によれば、第二の符合部を直接視認することができる。
【００６６】
手段１０にかかる発明によれば、第一の符合部と第二の符合部との符合状態を明瞭に視
認することができる。
【００６７】
手段１１にかかる発明によれば、第一の符合部と第二の符合部との符合状態を文字や記
号によって確認することができる。
【００６８】
手段１２にかかる発明によれば、不正な基板ボックスに取り替えられることを防止する
ことができる。
【００６９】
手段１３にかかる発明によれば、ベース部材にシリーズの異なり基板ボックスが取り付
けられることが防止できる。
【００７０】
手段１４にかかる発明によれば、ベース部材に取り付けられる基板ボックスを製造時期
毎に変化させることができるため、偽造基板ボックスが取り付けられることを防止できる
。
【００７１】
手段１５にかかる発明によれば、偽造基板ボックスが取り付けられることを早期に発見
することができる。
【００７２】
手段１６にかかる発明によれば、機構板に適正な基板ボックスを取り付けることができ
る。
【００７３】
手段１７にかかる発明によれば、パチロットに適正な基板ボックスを取り付けることが
できる。
【発明を実施するための最良の形態】
【００７４】
以下、下記の順序に従って本発明の実施形態を説明する。
（１）第一の実施形態：
（２）第二の実施形態：
（３）第三の実施形態：
（４）第四の実施形態：
（５）第五の実施形態：
（６）まとめ：
（１）第一の実施形態：
図１は、本発明を適用したパチンコ遊技機を背面側から見て示している。同図において
、パチンコ遊技機１の外枠１０は、鋼材をプレス加工あるいは木材枠を組み合わせて形成
されている。この外枠１０は、矩形板状の樹脂製の本体枠２０よりも僅かに大きいサイズ
の矩形開口１０ａを有している。この本体枠２０は、矩形開口１０ａの図に向かって左端
にて枢支されており、図示しない回転軸を中心に回動し、外枠１０に対して開閉可能かつ
着脱可能に装着されている。本体枠２０の上方部分には矩形開口２０ａが形成されており
、同矩形開口２０ａよりも外形がわずかに小さく形成された略板状の遊技盤３０が同矩形
開口２０ａに嵌め込まれている。遊技盤３０は木材で形成されており、矩形開口２０ａに
嵌め込まれることにより本体枠２０に保持される。
【００７５】
遊技盤３０の前面側には、図示しないが多数の釘や、複数の入賞口や、入賞しなかった
遊技球をアウト球として回収するアウト球回収口や、遊技の状況を表示する表示装置など
が配設される遊技領域が形成されている。パチンコ遊技機１の背面側にはメイン基板７１
と音声ランプ制御基板７４と表示制御基板７５と電源基板７６と払出発射基板７７とガー
ドユニット接続基板７８とスイッチ基板８６等といったパチンコ遊技機１を稼働させるた
めに必要な各種基板がそれぞれ基板ボックスに収容されて取り付けられている。
【００７６】
特に、主要な演算処理を行うためのＣＰＵ，ＲＯＭ７３等が実装されたメイン基板７１
が収容された基板ボックスを制御ボックスというものとする。この制御ボックス７２は強
固に封止されており、同制御ボックス７２を開放して不正を行うことを防止している。音
声ランプ制御基板７４と表示制御基板７５は通気口が形成されたカバー部８２によって背
面側から覆われており、制御ボックス７２も同カバー部８２を下方に延設した延設部８２
ａにより上部が背面側から覆われている。なお、図示しないがこれらの各種基板は互いに
コネクタやケーブルを使用して接続されている。
【００７７】
また、パチンコ遊技機１の背面側には、上記のような各種基板のほかにタンクレール８
１や遊技球タンク８４や払い出し装置ユニット８３等の遊技球の経路部品も配設されてい
る。払い出し装置ユニット８３は、計数カウンタにより払い出し球をカウントして所定数
の遊技球を払い出す遊技球払い出し機構８３ａ、タンクレール８１からの遊技球を遊技球
払い出し機構８３ａに誘導するカーブ状に設けられた流路８３ｂ等を備えている。遊技球
払い出し機構８３ａは、内蔵するモータの回転により遊技球タンク８４からタンクレール
８１を伝って下方へ流下した遊技球を１個単位で放出することが可能となっている。
【００７８】
以上説明した各種機構部材は本体枠２０や遊技盤３０の背面にそれぞれ個別に取り付け
るようにしても良いし、複数を集合させたユニット部材として取り付けるようにしても良
い。本実施形態においては複数の機構部材を機構板８０に装着し、同機構部材を装着させ
た機構板８０を扉状のユニット部材として本体枠２０の背面側に取り付けている。
【００７９】
図２は、機構板８０を取り外した状態のパチンコ遊技機１を背面から見て示している。
同図において、機構板８０を取り外すことにより、本体枠２０にはメイン基板７１と音声
ランプ制御基板７４と表示制御基板７５と電源基板７６と払出発射基板７７とガードユニ
ット接続基板７８とが残留する。すなわち、これ以外のカバー部８２と延設部８２ａとタ
ンクレール８１と遊技球タンク８４と払い出し装置ユニット８３とスイッチ基板８６は機
構板８０に対して装着されており、機構板８０を取り外すことにより機構板８０とともに
取り外される。なお、図２においては機構板８０に取り付けられる各種機構部材を説明す
るために機構板８０を取り外した状態のものを示したが、機構板８０は図２の紙面右側に
配設された上下一対のヒンジ８５，８５により回動させることが可能となっている。
【００８０】
表示制御基板７５は遊技盤３０の略中央部において、同遊技盤３０に対して直接固定さ
れている。遊技盤３０には同遊技盤３０の外形よりも幅と高さが小さく形成された略矩形
枠状のセーフ球集合板３１が表示制御基板７５を囲むように取り付けられている。セーフ
球集合板３１には機構板８０の取り付け時に同機構板８０によって背面側から覆われる端
子板３１ａが取り付けられている。また、セーフ球集合板３１の紙面左端には上下一対の
軸受け３１ｂ，３１ｂが延設されている。軸受け３１ｂ，３１ｂはそれぞれ略水平な板状
に形成されており、同軸受け３１ｂ，３１ｂを鉛直に貫通する軸穴がそれぞれ形成されて
いる。
【００８１】
音声ランプ制御基板７４を収容する基板ボックスと制御ボックス７２はベース部材９０
に取り付けられている。ベース部材９０はＬ字の形状をした略板状の部材であり、紙面左
端に上下一対の支軸９５，９５を備えている。支軸９５，９５は、それぞれ鉛直に軸方向
が配向されており、下端にて終端している。そして、支軸９５，９５を軸受け３１ｂ，３
１ｂの軸穴にそれぞれ上方から挿入することにより、ベース部材９０はセーフ球集合板３
１が取り付けられたパチンコ遊技機１の本体に取り付けられる。すなわち、ベース部材９
０はパチンコ遊技機１の本体に対して支軸９５，９５を回転軸として回動可能に連結され
る。
【００８２】
なお、パチンコ遊技機１の通常の組み付け手順においては、まずベース部材９０に対し
て音声ランプ制御基板７４を収容する基板ボックスと制御ボックス７２とが装着され、そ
の後ベース部材９０全体がパチンコ遊技機１の本体に取り付けられることとなる。また、
パチンコ遊技機１の稼働時に不用意にベース部材９０が回動しないように、ベース部材９
０をパチンコ遊技機１の本体に対して閉じた状態で止着するための固定部９４，９４が一
対形成されている。固定部９４，９４はベース部材９０の回動における自由端側に取り付
けられており、同固定部９４，９４がセーフ球集合板３１に対して固定されることにより
、ベース部材９０は回動不能となる。
【００８３】
図３は、制御ボックス７２を背面側（パチンコ遊技機１に取り付けた状態において背面
側）から見て示している。同図において、制御ボックス７２は略矩形状に形成されており
所定の厚みを有している。制御ボックス７２は複数の部材を組み合わせることにより形成
されており、内部に閉鎖された空間を有している。同閉鎖された空間には破線で示すメイ
ン基板７１が収容されており、同メイン基板７１には各種ＣＰＵ，ＲＯＭ７３が実装され
ている。制御ボックス７２の右端には複数の封止機構７２ａが備えられており、同封止機
構７２ａによって制御ボックス７２が不正に開放されないように封止している。一方、制
御ボックス７２の左端には制御ボックス７２をベース部材９０に対して固定するためのネ
ジ止め穴７２ｃ，７２ｃが延設されている。制御ボックス７２の上方からは左右一対の位
置決め突起７２ｂ，７２ｂが突設されている。
【００８４】
図４は、制御ボックス７２を下方（パチンコ遊技機１に取り付けた状態において下方）
から見て示している。同図において制御ボックス７２の底面から位置決め突起７２ｂ，７
２ｂが突設されており、これらとは別に円柱状の第一の符合部Ａ２，Ａ５が一対突設され
ている。
【００８５】
図５は、ベース部材９０を背面側（パチンコ遊技機１に取り付けた状態において背面側
）から見て示している。なお、同図においてベース部材９０はパチンコ遊技機１本体に取
り付けられておらず、制御ボックス７２もベース部材９０に取り付けられていない状態を
示している。同図において、ベース部材９０には制御ボックス７２の幅および高さよりも
わずかに大きく形成された平面状の取り付け面９１が備えられている。
【００８６】
取り付け面９１の上方部分には左右一対の位置決め穴９２，９２が穿設されており、同
位置決め穴９２，９２は位置決め突起７２ｂ，７２ｂよりわずかに大きい形状となってい
る。取り付け面９１の左端部分には上下一対のネジ固定穴９３，９３が穿設されている。
また、取り付け面９１の上下中央部位には幅方向に整列する略円形の貫通穴Ｂ１〜Ｂ５が
均等な間隔で穿設されている。貫通穴Ｂ１〜Ｂ５は第一の符合部Ａ２，Ａ５の径よりもわ
ずかに大きく形成されている。
【００８７】
図６は、ベース部材９０を背面側（パチンコ遊技機１に取り付けた状態において背面側
）から見て示している。なお、同図は制御ボックス７２がベース部材９０に取り付けられ
た状態を示している。同図において、制御ボックス７２がベース部材９０における取り付
け面９１に対して、それぞれ対となるネジ止め穴７２ｃ，７２ｃおよびネジ固定穴９３，
９３を利用して取り付けられている。また、制御ボックス７２は、位置決め突起７２ｂ，
７２ｂや第一の符合部Ａ２，Ａ５が延設された底面を取り付け面９１に向かい合わせる方
向で取り付けられている。ここで、位置決め突起７２ｂ，７２ｂは位置決め穴９２，９２
に対応する位置に形成されているため、位置決め突起７２ｂ，７２ｂを位置決め穴９２，
９２に挿し込みつつ制御ボックス７２を装着することにより、常に正確な位置に制御ボッ
クス７２を装着することができる。
【００８８】
図７は、制御ボックス７２が取り付けられた状態のベース部材９０の断面（図６に示す
断面線Ｘ１による断面）を示している。同図において、位置決め突起７２ｂ，７２ｂが位
置決め穴９２，９２を貫通している。一方、制御ボックス７２は、第一の符合部Ａ２，Ａ
５が突設された底面を取り付け面９１に向かい合わせているため、第一の符合部Ａ２，Ａ
５と取り付け面９１とが干渉することとなる。しかしながら、第一の符合部Ａ２，Ａ５が
それぞれ貫通穴Ｂ２，Ｂ５を貫通することができるため、第一の符合部Ａ２，Ａ５と取り
付け面９１とが干渉することなく制御ボックス７２を取り付け面９１に装着することが可
能となっている。なお、ベース部材９０における取り付け面９１の裏側は第一の符合部Ａ
２，Ａ５が突出する部位以外はフラットな面となっている。
【００８９】
図８は、遊技盤３０を背面側から見て示している。なお、同図は、ベース部材９０が取
り外された状態を示している。上述したように遊技盤３０には背面側から矩形枠状のセー
フ球集合板３１が取り付けられており、これに囲まれるように表示制御基板７５が取り付
けられている。セーフ球集合板３１は透明な合成樹脂で形成されており、所定の厚みを有
している。セーフ球集合板３１の下方部分は中空状となっており、その内部に所定の仕切
りを形成することにより、遊技球の流通経路３１ｃが形成されている。また、同流通経路
３１ｃを流通する遊技球の個数をカウントするカウンタ等もセーフ球集合板３１に備えら
れることとなる。さらに、セーフ球集合板３１には固定部９４，９４をセーフ球集合板３
１に固定するための係合穴３１ｄ，３１ｄが形成されている。
【００９０】
セーフ球集合板３１には端子板３１ａ等の各種部材を取り付けるためにネジ穴や係止爪
等の取り付け機構が備えられている。また、セーフ球集合板３１には各種基板間を電気的
に接続するための配線ケーブルを固定するための、ケーブル保持機構等も備えられている
。遊技盤３０の前面側に形成された遊技領域の入賞口等に入った遊技球は遊技盤３０の背
面側に導出され、さらに流通経路３１ｃを流下する。従って、流通経路３１ｃの形状は遊
技領域の入賞口等の配設位置や配設個数に対応した形状とされている。
【００９１】
また、遊技領域に配設される装飾ランプを保持する装飾基板３１ｅ，３１ｅにケーブル
を背面側から接続するために、セーフ球集合板３１には装飾基板３１ｅ，３１ｅの位置に
合わせた配線穴３１ｆ，３１ｆも形成されている。さらに、セーフ球集合板３１にはコネ
クタ基板３１ｇが取り付けられている。このコネクタ基板３１ｇには、セーフ球集合板３
１および遊技領域等に配設された各種基板と接続するケーブルが集中して接続されており
、同コネクタ基板３１ｇに備えられたコネクタを利用することによりメイン基板７１等と
セーフ球集合板３１および遊技領域等に配設された各種基板とを電気的に接続することが
可能となっている。なお、コネクタ基板３１ｇはセーフ球集合板３１に形成されたコネク
タ基板３１ｇよりやや大きい凹みに取り付けられている。これにより、コネクタ基板３１
ｇがセーフ球集合板３１よりも背面側に突出しないようになっている。
【００９２】
通常、遊技領域のデザインは遊技者を飽きさせないよう、各機種毎に異なるものとなっ
ている。すなわち、装飾基板３１ｅ，３１ｅの配設位置や配設個数および入賞口等の配設
位置や配設個数は各機種毎に異なるものとなる。従って、流通経路３１ｃや配線穴３１ｆ
，３１ｆを備えるセーフ球集合板３１は、機種に依存して異なるものが取り付けられるこ
ととなる。すなわち、セーフ球集合板３１は本発明の機種依存部材に相当する。セーフ球
集合板３１の下方部分には左右に整列した２個の第二の符合部Ｃ２，Ｃ５が形成されてい
る。なお、第二の符合部Ｃ２，Ｃ５はセーフ球集合板３１の背面側から形成された穴であ
る。
【００９３】
図９は、セーフ球集合板３１の断面（図８に示す断面線Ｘ２による断面）を示している
。同図において、セーフ球集合板３１を貫通する第二の符合部Ｃ２，Ｃ５が形成されてい
る。紙面奥方にはコネクタ基板３１ｇが配設されているが、上述のとおりコネクタ基板３
１ｇはセーフ球集合板３１よりも背面側に突出しないため、セーフ球集合板３１の背面側
はフラットな面となっている。
【００９４】
図１０は、遊技盤３０に対してベース部材９０が取り付けられた状態を背面から見て示
している。同図において、ベース部材９０は支軸９５，９５を軸受け３１ｂ，３１ｂの軸
穴にそれぞれ上方から挿入させており、さらにベース部材９０は固定部９４，９４によっ
てパチンコ遊技機１の本体に対して閉じた状態で固定されている。このように、ベース部
材９０が取り付けられると、セーフ球集合板３１の下方部分はベース部材９０によって背
面側から覆われることとなる。このとき、ベース部材９０の裏側のフラットな面とセーフ
球集合板３１の背面側のフラットな面とが密着する。
【００９５】
図１１および図１２は、ベース部材９０の裏側のフラットな面とセーフ球集合板３１の
背面側のフラットな面とが密着する様子を断面（Ｘ２）から見て示している。図１１は、
制御ボックス７２が取り付けられた支軸９５，９５を軸受け３１ｂ，３１ｂの軸穴にそれ
ぞれ上方から挿入させることにより、ベース部材９０がパチンコ遊技機１の本体に対して
回動可能となっている。図１１のようにベース部材９０がパチンコ遊技機１の本体に対し
て開いた状態では、ベース部材９０の裏側のフラットな面とセーフ球集合板３１の背面側
のフラットな面とは離間している。
【００９６】
図１２のようにベース部材９０をパチンコ遊技機１の本体に対して閉じて行くことによ
り、ベース部材９０の裏側のフラットな面とセーフ球集合板３１の背面側のフラットな面
とは接近する。そして、互いに平行となるとき、ベース部材９０の裏側のフラットな面と
セーフ球集合板３１の背面側のフラットな面とが密着する。このとき、ベース部材９０の
固定部９４，９４とセーフ球集合板３１の係合穴３１ｄ，３１ｄとが重なり合うことによ
り、固定部９４，９４を係合穴３１ｄ，３１ｄに対して固定することが可能となる。固定
部９４，９４および係合穴３１ｄ，３１ｄの詳細については後述する。
【００９７】
上述のとおりベース部材９０の裏側はフラットな面であるものの第一の符合部Ａ２，Ａ
５がセーフ球集合板３１に向かって突出する形状となっている。従って、ベース部材９０
の裏側とセーフ球集合板３１の背面側とを密着させると、第一の符合部Ａ２，Ａ５がセー
フ球集合板３１に干渉することとなる。しかしながら、図１２に示すように第一の符合部
Ａ２，Ａ５が第二の符合部Ｃ２，Ｃ５を貫通することにより、ベース部材９０の裏側とセ
ーフ球集合板３１の背面側とを密着させることが可能である。すなわち、セーフ球集合板
３１に向かって突出する第一の符合部Ａ２，Ａ５に対応した位置に第二の符合部Ｃ２，Ｃ
５を形成してあるため、セーフ球集合板３１と制御ボックス７２とが干渉することなくベ
ース部材９０をパチンコ遊技機１の本体に対して閉じることができる。
【００９８】
これに対して、第一の符合部に対応した位置に第二の符合部Ｃ２，Ｃ５が形成されてい
ない場合には、第一の符合部がセーフ球集合板３１の背面側と干渉してベース部材９０を
パチンコ遊技機１の本体に対して閉じることができない。図１３は、ベース部材９０を閉
じることができない様子を示している。同図において、制御ボックス７２から突設された
第一の符合部Ａ３，Ａ５はそれぞれ取り付け面に９１に形成された貫通穴Ｂ３，Ｂ５を貫
通するため、制御ボックス７２をベース部材９０に取り付けることは可能となっている。
しかし、第一の符合部Ａ３，Ａ５と第二の符合部Ｃ２，Ｃ５とが対応した位置となってい
ないため、最終的に制御ボックス７２を装着した状態でベース部材９０をパチンコ遊技機
１の本体に取り付けることは不可能となっている。
【００９９】
このようにすることにより、パチンコ遊技機１の機種に対応しない制御ボックス７２が
間違えて取り付けられることを防止することができる。パチンコ遊技機１の機種に対応し
ない制御ボックス７２が取り付けられた場合に、パチンコ遊技機１が正常に動作しないこ
とはいうまでもない。制御ボックス７２が直接取り付けられるのはベース部材９０である
ため、ベース部材９０を当該機種専用の部材としておけば、同ベース部材９０に対して誤
った機種の制御ボックス７２が取り付けられることを防止することができる。しかしなが
ら、パチンコ遊技機１の製造においては可能な限り多くの部材を機種に依存しない汎用部
材としておくことが生産管理や製造コスト等の面から見て望ましい。従って、必ずしも機
種毎に異ならせる必要がないベース部材９０は、できるだけ汎用部材としておくことが望
ましい。
【０１００】
ここで、第一の符合部をベース部材９０における取り付け面９１の貫通穴Ｂ１〜Ｂ５に
対応する位置に形成する条件においては、いずれの制御ボックス７２であっても制御ボッ
クス７２をベース部材９０に取り付けることができる。すなわち、この条件においてベー
ス部材９０を汎用的に使用することができる。一方、セーフ球集合板３１における軸受け
３１ｂ，３１ｂの位置、形状を各機種統一させる条件においては、いずれのパチンコ遊技
機１の機種に対してもベース部材９０を汎用的に取り付けることができる。
【０１０１】
以上説明したベース部材９０が汎用的に使用することが可能となる条件においても、本
発明によればパチンコ遊技機１の機種に対応しない制御ボックス７２が間違えて取り付け
られることを防止することができる。すなわち、制御ボックス７２はベース部材９０に直
接取り付けられるものの、制御ボックス７２とパチンコ遊技機本体との整合性は第一の符
合部と第二の符合部の組み合わせのみに依存するため、ベース部材９０は各機種共通であ
っても問題がない。第一の符合部と第二の符合部とが整合する組み合わせは数多く設定す
ることができ、その数分の機種についてベース部材９０を共用することができる。
【０１０２】
例えば、制御ボックス７２には貫通穴Ｂ１〜Ｂ５に対応する位置のいずれか二個におい
て第一の符合部を形成するものとし、セーフ球集合板３１にも貫通穴Ｂ１〜Ｂ５に対応す
る位置のいずれか二個において第二の符合部を形成するルールを規定した場合には、5Ｃ2
＝１０とおりの整合パターンを設けることができる。図１４は、上記１０通りの整合パタ
ーンを一覧にして示している。
【０１０３】
なお、同図において、貫通穴Ｂ１〜Ｂ５に対応して形成される第一の符合部をそれぞれ
Ａ１〜Ａ５列において○で表すものとし、貫通穴Ｂ１〜Ｂ５に対応して形成される第二の
符合部をそれぞれＣ１〜Ｃ５列において○で表すものとする。すなわち、同図の例によれ
ば１０機種に対して全て異なる整合パターンを設定することができるとともに、１０機種
についてベース部材９０を汎用することができる。なお、位置決め突起７２ｂ，７２ｂと
位置決め穴９２，９２により制御ボックス７２は一定位置に、一定方向に取り付けられる
ため、反転して偶然整合するようなことはない。
【０１０４】
なお、本実施形態において間違いのない制御ボックス７２を取り付けるために同制御ボ
ックス７２に第一の符合部を形成したが、他の基板ボックスに対して本発明を適用するこ
とも可能である。例えば、図１に示すスイッチ基板８６を間違いなくパチンコ遊技機１の
本体に取り付けるためには、スイッチ基板８６が取り付けられる機構板８０に対して貫通
穴を形成し、遊技盤３０等における同貫通穴に対応する位置に第二の符合部を形成するこ
とも可能である。すなわち、この場合機構板８０が本発明のベース部材に相当することと
なる。
【０１０５】
図１５は、固定部９４および係合穴３１ｄを見て示している。同図において、固定部９
４が係合穴３１ｄに対して係合する様子が示されている。固定部９４は、ベース部材９０
に形成されたセット穴９４ｄに対して嵌め込まれる第一部材９４ｂを備えている。第一部
材９４ｂは略円盤状に形成された円盤部９４ｂ１を有し、同円盤部９４ｂ１の中央には摺
接穴９４ｂ３が形成されている。円盤部９４ｂ１から先端が内側に屈曲した複数の可撓部
９４ｂ２が延設されており、同可撓部９４ｂ２はセット穴９４ｄおよび係合穴３１ｄを貫
通する。
【０１０６】
一方、摺接穴９４ｂ３を貫通するように第二部材９４ａが備えられている。第二部材９
４ａは径がほぼ一定とされた略円柱状の棒状部９４ａ１を備えており、同棒状部９４ａ１
の上端から径が大きく形成された押し込み部９４ａ３が延設されている。一方、棒状部９
４ａ１の下端にはやや径を大きくした鍔状の干渉部９４ａ２が形成されており、その上方
に所定間隔を隔てて干渉部９４ａ２がもう一つ形成されている。
【０１０７】
干渉部９４ａ２の径は、可撓部９４ｂ２の上方部分同士が向かい合う間隔よりも小さく
されているとともに、同可撓部９４ｂ２の屈曲した下端が向かい合う間隔よりも大きく形
成されている。このようにすることにより、第二部材９４ａを下方に押し込むことにより
可撓部９４ｂ２をそれぞれ外側に撓ませることができる。すなわち、下方の干渉部９４ａ
２が可撓部９４ｂ２の先端に干渉し、同干渉を避けるために可撓部９４ｂ２が外側に撓む
こととなる。
【０１０８】
そして、押し込み部９４ａ３が円盤部９４ｂ１に当接するまで第二部材９４ａを下方に
押し込むと、下方の干渉部９４ａ２と上方の干渉部９４ａ２との間に可撓部９４ｂ２の先
端が到達する。このとき、下方の干渉部９４ａ２と上方の干渉部９４ａ２との間は干渉部
９４ａ２よりも径が小さいため、可撓部９４ｂ２は少し元の形状に復帰することができる
。すなわち、下方の干渉部９４ａ２と上方の干渉部９４ａ２との間において可撓部９４ｂ
２の先端が自らの弾性により係合することとなる。
【０１０９】
しかし、可撓部９４ｂ２は下方の干渉部９４ａ２と上方の干渉部９４ａ２との間よりも
内側に先端を変位させることができないため、可撓部９４ｂ２は上記係合が行われた状態
で係合穴３１ｄの径よりも大きく外側に押し広げられた状態で安定する。セット穴９４ｄ
および係合穴３１ｄを貫通する第一部材９４ｂは円盤部９４ｂ１および外側に押し広げら
れた可撓部９４ｂ２によってベース部材９０とセーフ球集合板３１とを挟み込むため、ベ
ース部材９０とセーフ球集合板３１とは互いに離間することができなくなる。すなわち、
ベース部材９０をセーフ球集合板３１に対して固定することができる。  
【０１１０】
一方、ベース部材９０から略円筒状のカバー部９４ｃが形成されており、同カバー部９
４ｃの内径は押し込み部９４ａ３の径よりもわずかに大きいものとされている。また、図
１３，図１５に示すようにカバー部９４ｃとベース部材９０とは細幅な連結部９４ｃ１に
よって連結されている。このようにすることにより、カバー部９４ｃの内側において第二
部材９４ａを下方に押し込むことはできても、上方に引っ張ることはできないようにする
ことができる。
【０１１１】
すなわち、第二部材９４ａの押し込み部９４ａ３とカバー部９４ｃとの隙間はわずかで
あるため、両者の間に指を入れて第二部材９４ａをつまみ出すことは不可能となっている
。ただし、必要に応じては連結部９４ｃ１をニッパー等によって破断させることによりカ
バー部９４ｃを除去することができるため、ベース部材９０とセーフ球集合板３１との固
定を解除することができる。なお、カバー部９４ｃが除去されたことはパチンコ遊技機１
の背面側から見て一目瞭然であるため、不正により固定が解除されたことをすぐに発見す
ることができる。
【０１１２】
（２）第二の実施形態：
図１６は、第二の実施形態にかかる制御ボックスを背面側から見て示している。同図に
おいて制御ボックス１７２は前実施形態とほぼ同様の構成とされている。ただし、右端に
は白色に着色された略板状の板状部１７２ａが形成されている。この板状部１７２ａには
第一の符合部Ａとして、数字の”１”をかたどった穴が設けられている。図１７は、第二
の実施形態にかかるベース部材を示している。同図においてベース部材１９０は前実施形
態とほぼ同様の構成とされている。ただし、取り付け面１９１の右端付近に貫通穴Ｂが形
成されている。この貫通穴Ｂは板状部１７２ａに対応する位置に、板状部１７２ａとほぼ
同じ大きさで形成されている。
【０１１３】
図１８は、第二の実施形態にかかる遊技盤を背面側から見て示している。同図において
、セーフ球集合板１３１における下方部分の右端付近には数字の”１”かたどった第二の
符合部Ｃが背面側に向かって突設されている。第二の符合部Ｃは金属で形成されており、
黒色に着色されている。図１９は、セーフ球集合板１３１に対して制御ボックス１７２が
装着されたベース部材１９０が取り付けられ、閉じられた状態を断面から見て示している
。同図において、セーフ球集合板１３１の背面側のフラットな面から第二の符合部Ｃが背
面側に突出するものの、同第二の符合部Ｃは貫通穴Ｂおよび第一の符合部Ａの双方を貫通
することができる。従って、ベース部材１９０をセーフ球集合板１３１に対して閉じるこ
とができる。なお、第二の符合部Ｃはセーフ球集合板１３１の内側からネジ止めすること
により固定されている。
【０１１４】
すなわち、第一の符合部Ａと第二の符合部Ｃとの形状が整合しない限り制御ボックス１
７２をパチンコ遊技機本体に対して取り付けることができないため、本実施形態において
も誤った制御ボックス１７２が取り付けられることを防止することができる。貫通穴Ｂお
よび第一の符合部Ａの双方を貫通した第二の符合部Ｃはベース部材１９０から背面側に突
出する。従って、ベース部材１９０をセーフ球集合板１３１に対して閉じたとき、数字の
”１”をかたどった第二の符合部Ｃをパチンコ遊技機の背面側から読み取ることができる
。数字の”１”が読み取れることにより、パチンコ遊技機に対して適正な制御ボックス１
７２が取り付けられていることを認識することができる。従って、不正な制御ボックスに
すり替えられたことを簡単に確認することができる。
【０１１５】
制御ボックスをすり替えるためには、少なくとも第二の符合部Ｃと第一の符合部Ａとが
干渉しないように、第一の符合部Ａの形状を大きく形成しておく必要がある。しかし、大
きめに第一の符合部Ａを形成した場合には、数字の”１”の形状が変形して見えることと
なる。第一の符合部Ａと第二の符合部Ｃとの隙間から板状部１７２ａの白色以外の色が見
えるからである。むろん、第二の符合部Ｃよりも小さい第一の符合部Ａを形成した場合に
は、不正な制御ボックスを取り付けることができない。さらに、第二の符合部Ｃを金属で
形成しているため、第二の符合部Ｃを破壊して不正な制御ボックスを取り付けることも不
可能となっている。
【０１１６】
（３）第三の実施形態：
図２０は、第三の実施形態にかかるベース部材を示している。同図においてベース部材
２９０は前実施形態とほぼ同様の構成とされている。ただし、貫通穴Ｂ１〜Ｂ３は３個の
み形成されており、同貫通穴Ｂ１〜Ｂ３と並ぶように３個のシリーズ確認用の仮穴Ｄ１〜
Ｄ３が形成されている。仮穴Ｄ１〜Ｄ３はそれぞれ仮穴Ｄ１〜Ｄ３の径よりもわずかに径
の小さい略円形の蓋部ｄ１によって塞がれている。この蓋部ｄ１はそれぞれ取り付け面２
９１と切断可能な細幅部ｄ２を介して接合している。細幅部ｄ２を破断させることにより
、蓋部ｄ１を取り付け面２９１から離脱させることができる。すなわち、蓋部ｄ１が除去
されて仮穴Ｄ１〜Ｄ３の内側に取り付け面２９１を貫通する穴が形成される。
【０１１７】
貫通穴Ｂ１〜Ｂ３および仮穴Ｄ１〜Ｄ３の上方には１０個の製造時期確認用の仮穴Ｆ１
〜Ｆ１０が整列するように形成されている。仮穴Ｆ１〜Ｆ１０は仮穴Ｄ１〜Ｄ３よりも径
が小さく形成されているものの、仮穴Ｄ１〜Ｄ３と同様の構成とされている。すなわち、
仮穴Ｆ１〜Ｆ１０においてもそれぞれ細幅部を破断させることにより、仮穴Ｆ１〜Ｆ１０
を貫通状態とすることが可能となっている。例えば、図２１に示すように、仮穴Ｆ１と仮
穴Ｄ３のみを貫通状態とすることも可能である。
【０１１８】
図２２は、第三の実施形態にかかる基板ボックスを示している。同図においてベース部
材２９０は前実施形態とほぼ同様の構成とされている。同図において制御ボックス２７２
の底面から略円柱状の第一の符合部Ａ２が突設されるとともに、同第一の符合部Ａ２より
も高さが低く形成された略円柱状のシリーズ確認用の符合突起Ｅ３が制御ボックス２７２
の底面から突設されている。制御ボックス２７２の底面に対する符合突起Ｅ３の突出量は
、ベース部材２９０の取り付け面２９１の厚みとほぼ同等とされている。第一の符合部Ａ
２および符合突起Ｅ３の紙面奥方には略円柱状の製造時期確認用の符合突起Ｇ１が制御ボ
ックス２７２の底面から突設されている。符合突起Ｇ１は符合突起Ｅ３と突出量は同等で
あるが、径は符合突起Ｅ３よりも小径とされている。
【０１１９】
図２３は、基板ボックス２７２が装着されたベース部材２９０が遊技盤２３０に取り付
けられた状態を断面から見て示している。同図において、基板ボックス２７２から突設さ
れた第一の符合部Ｂ２はベース部材２９０の貫通穴Ｂ２とセーフ球集合板２３１の第二の
符合部Ｃ２とを貫通している。従って、第一の符合部Ｂ２をベース部材２９０やセーフ球
集合板２３１と干渉させることなく基板ボックス２７２をベース部材２９０に密着させる
ことができる。一方、基板ボックス２７２から突設された符合突起Ｅ３は仮穴Ｄ３の内部
に入り込んでいる。符合突起Ｅ３の突出量は取り付け面２９１の厚みよりも小さく形成さ
れているため、符合突起Ｅ３の下端はセーフ球集合板２３１までは到達していない。すな
わち、符合突起Ｅ３をベース部材２９０やセーフ球集合板２３１と干渉させることなく基
板ボックス２７２をベース部材２９０に密着させることができる。
【０１２０】
なお、予めベース部材２９０を図２１に示す状態としておくことにより、仮穴Ｄ３が貫
通状態となるため符合突起Ｅ３を貫通させることができる。また、図示しないが符合突起
Ｇ１も予め貫通状態とされた仮穴Ｆ１を貫通している。従って、基板ボックス２７２をベ
ース部材２９０に密着させることができる。すなわち、基板ボックス２７２をベース部材
２９０に密着させるためには、第一の符合部Ａと第二の符合部Ｃとが対応した位置に形成
されていなければならないとともに、シリーズ確認用の符合突起Ｅと貫通状態の仮穴Ｄ、
および、製造時期確認用の符合突起Ｇと貫通状態の仮穴Fがそれぞれ対応した位置になけ
ればならない。
【０１２１】
ところで、基板ボックス２７２を形成するにあたっては収容する制御基板に応じて第一
の符合部Ａおよび符合突起Ｆ，Ｇの形成位置が変更されている。まず、第一の符合部Ａの
形成位置は、基板ボックス２７２をベース部材２９０に取り付けたときに貫通穴Ｂ１〜Ｂ
３に対向する位置のいずれかから、基板ボックス２７２が収容する制御基板が対応する機
種に応じて選択される。次に、符合部突起Ｅの形成位置は、基板ボックス２７２をベース
部材２９０に取り付けたときに仮穴Ｄ１〜Ｄ３に対向する位置のいずれかから、基板ボッ
クス２７２が収容する制御基板が対応するシリーズに応じて選択される。さらに、符合部
突起Ｇの形成位置は、基板ボックス２７２をベース部材２９０に取り付けたときに仮穴Ｆ
１〜Ｆ１０に対向する位置のいずれかから、基板ボックス２７２が製造された時期に応じ
て選択される。
【０１２２】
上述のとおり第二の符合部Ｃが形成されるセーフ球集合板２３１は機種依存部材である
ため、機種に応じて第一の符合部Ａの形成位置を変えることにより、機種に対応した制御
基板が収容された基板ボックス２７２のみが取り付け可能となる。ただし、機種依存部材
であるセーフ球集合板２３１は同一機種であれば全て同じものが取り付けられる。従って
、単一の機種が複数のシリーズを有している場合には、シリーズ毎に仕様が異なる制御基
板を収容した制御ボックス２７２を異なるシリーズのパチンコ遊技機に取り付けてしまう
ことも考えられる。
【０１２３】
これに対して、符合部突起Ｅの形成位置を基板ボックス２７２が収容する制御基板が対
応するシリーズに応じて変更し、予めベース部材２９０の仮穴Ｄ１〜Ｄ３のうち対応する
ものを貫通させておけば、対応する制御基板を収容する基板ボックス２７２のみを取り付
け可能とすることができる。特に、正規のメンテナンスにおいて基板ボックス２７２の交
換を行う際に、作業員の取り付け間違いを防止することができる。
【０１２４】
以上により、パチンコ遊技機の出荷後に当該パチンコ遊技機に取り付けることが可能な
制御ボックス２７２を同一機種および同一シリーズに対応したものに制限することができ
る。従って、仮に不正を行う者がある機種のあるシリーズに対して取り付けることが可能
な偽造制御ボックスを作成したとしても、この偽造制御ボックスを他の機種や他のシリー
ズに流用することは不可能となる。従って、偽造制御ボックスの取り替えによる不正の被
害を抑制することができる。しかし、人気の高い機種およびシリーズにおいては同一のも
のが長期にわたって大量に製造されることとなる。この場合、上記の被害が同一機種およ
び同一シリーズ内に収まったとしても膨大な被害を被ることとなる。また、パチンコ遊技
機の流通期間が長期間となるため、不正を行う者に機種およびシリーズに対応した制御ボ
ックスが用意されてしまう可能性も高い。
【０１２５】
そこで、製造時期毎に応じて符合部突起Ｇの形成位置が変更することにより、偽造基板
ボックスによる被害の拡大を抑制している。例えば、３ヶ月毎に符合部突起Ｇの形成位置
を仮穴Ｆ１〜Ｆ１０一個分ずつずらし、貫通状態とされる仮穴Ｆ１〜Ｆ１０も一個分ずつ
ずらしておくことにより、同一の偽造制御ボックスによる被害を３ヶ月間に製造されたパ
チンコ遊技機だけに抑えることができる。一方、正規のメンテナンス等においては制御ボ
ックス２７２またはベース部材２９０を見ることによりパチンコ遊技機の製造期間を特定
することができる。従って、不具合ロットの特定等も行いやすい。また、仮穴Ｆ１〜Ｆ１
０を全て貫通状態としたり、符合部突起Ｇが形成されない偽造制御ボックスが作成された
場合には、いかなる製造時期のパチンコ遊技機であっても偽造制御ボックスが取り付けら
れてしまうこととなる。
【０１２６】
これに対して、制御ボックス２７２をパチンコ遊技機本体に取り付けたときに、符合部
突起Ｇおよび仮穴Ｆが視認可能となるようにすれば上記のような不正の手段を不可能とす
ることができる。例えば、図２４に示すようにベース部材２９０を延設することにより、
パチンコ遊技機の背面側に面する平面２９５を形成し、同平面２９５に仮穴Ｆを形成して
も良い。なお、制御ボックス２７２をベース部材２９０に取り付けるにあたっては、平面
２９５が阻害することとなるが、制御ボックス２７２を傾斜させつつ取り付けることがで
きる。
【０１２７】
このようにすることにより、仮穴Ｆが正常な状態となっているかどうかをパチンコ遊技
機の背面側から容易に視認することができる。むろん、仮穴Ｆを貫通する符合突起Ｇも視
認することができるため、符合突起Ｇが正常であるかどうかを確認することができる。従
って、仮穴Ｆ１〜Ｆ１０を全て貫通状態としたり、符合部突起Ｇが形成されない偽造制御
ボックスが取り付けられていたりすることを簡単に発見することができる。すなわち、二
個以上の仮穴Ｆ１〜Ｆ１０が貫通状態となっていれば不正が行われた可能性があることを
知ることができるし、一個も符合突起Ｇが突出していない場合には偽造制御ボックスが取
り付けられている可能性があることを知ることができる。
【０１２８】
なお、本実施形態においては図２５に示す表のように３種類の機種毎に３シリーズの制
御ボックス２７２の判別を行うことができる。そして、各シリーズについて１０の製造期
間を判別することができる。
【０１２９】
（４）第四の実施形態：
図２６は、第四の実施形態にかかる第一の符合部と貫通穴と第二の符合部を示している
。同図において、第一の符合部Ａはベース部材に形成された貫通穴Ｂに対して突設された
雄コネクタである。雄コネクタＡはメイン基板と他の基板とを電気的に接続するためのコ
ネクタであり、メイン基板３７１に実装されている。メイン基板３７１は制御ボックス３
７２に収容されるものの、制御ボックス３７２には雄コネクタＡを外側に突出させるため
の穴が形成されているため、雄コネクタＡが制御ボックス３７２の外側に突出している。
【０１３０】
一方、ベース部材３９０の取り付け面３９１には矩形状の貫通穴Ｂが形成されている。
機種依存部材３３１には第二の符合部Ｃとして雌コネクタが突設されている。雌コネクタ
Ｃと雄コネクタＡとは貫通穴Ｂを介して互いに対向し合う位置に形成されており、雌コネ
クタＣの形状は雄コネクタＡの凹凸形状を反転させた形状となっている。すなわち、雄コ
ネクタＡと雌コネクタＣとは互いに嵌り合うことが可能であり、それにより電気的な接続
を行うことができる。すなわち、雄コネクタＡと雌コネクタＣとが互いの対向方向に起伏
させる凹凸形状を各機種毎に変更すれば、誤った機種の制御ボックス３７２が遊技機本体
に取り付けられることを防止することができる。
【０１３１】
（５）第五の実施形態：
図２７は、第五の実施形態にかかる遊技機としてのパチロットを斜めから見て示してい
る。パチロット４０１は、パチンコ機とスロットマシンとを融合させたものであり、その
基本構成としては、複数の識別情報からなる識別情報列を動的表示した後に識別情報を確
定表示する可変表示手段を備え、始動用操作手段（例えば操作レバー）の操作に起因して
識別情報の動的表示が開始され、停止用操作手段（例えばストップボタン）の操作に起因
して、あるいは、所定時間経過することにより、識別情報の動的表示が停止され、その停
止時の確定識別情報が特定識別情報であることを必要条件として、遊技者に有利な特別遊
技状態を発生させる特別遊技状態発生手段とを備え、遊技媒体として球を使用するととも
に、上記識別情報の動的表示の開始に際しては所定数の球を必要とし、特別遊技状態の発
生に際しては多くの球が払い出されるように構成されている。
【０１３２】
図２８は、パチロットを背面から見て示している。同図においてパチロットの背面側に
はパチンコ遊技機と同様に複数の基板が基板ボックスに収容された状態で取り付けられて
いる。従って、本発明をパチロット４０１に対して適用することも可能である。例えば、
パチロット４０１の背面に開放可能なベース部材４９０を枢支させておき、同ベース部材
４９０に主要な処理を行うメイン基板４７１を収容した制御ボックス４７２を装着する場
合には、制御ボックス４７２に第一の符合部を形成し、ベース部材４９０に貫通穴を形成
すれば良い。さらに、この貫通穴に対応するパチロット４０１の本体部の所定部位に第二
の符合部を形成しておけば、当該第二の符合部に符合する第一の符合部を備える制御ボッ
クス４７２のみが取り付けられるようにすることができる。
【０１３３】
（６）まとめ：
以上説明したように本発明を適用した遊技機によれば、ベース部材９０が汎用的に使用
することが可能となる条件においても、パチンコ遊技機１の機種に対応しない制御ボック
ス７２が間違えて取り付けられることを防止することができる。すなわち、制御ボックス
７２はベース部材９０に直接取り付けられるものの、制御ボックス７２とパチンコ遊技機
本体との整合性は第一の符合部と第二の符合部の組み合わせのみに依存するため、ベース
部材９０は各機種共通であっても問題がない。第一の符合部と第二の符合部とが整合する
組み合わせは数多く設定することができ、その数分の機種についてベース部材９０を共用
することができる。
【図面の簡単な説明】
【０１３４】
【図１】第一の実施形態にかかるパチンコ遊技機の背面図である。
【図２】第一の実施形態にかかるパチンコ遊技機の背面図である。
【図３】第一の実施形態にかかる制御ボックスの背面図である。
【図４】第一の実施形態にかかる制御ボックスの側面図である。
【図５】第一の実施形態にかかるベース部材の背面図である。
【図６】第一の実施形態にかかるベース部材の背面図である。
【図７】第一の実施形態にかかる制御ボックスの断面図である。
【図８】第一の実施形態にかかる遊技盤の背面図である。
【図９】第一の実施形態にかかる遊技盤の断面図である。
【図１０】第一の実施形態にかかる遊技盤の背面図である。
【図１１】第一の実施形態にかかる遊技盤の断面図である。
【図１２】第一の実施形態にかかる遊技盤の断面図である。
【図１３】第一の実施形態にかかる遊技盤の断面図である。
【図１４】第一の実施形態にかかる第一の符合部と第二の符合部との組み合わせ表である。
【図１５】第一の実施形態にかかる固定部の断面図である。
【図１６】第二の実施形態にかかる制御ボックスの背面図である。
【図１７】第二の実施形態にかかるベース部材の背面図である。
【図１８】第二の実施形態にかかる遊技盤の背面図である。
【図１９】第二の実施形態にかかる遊技盤の断面図である。
【図２０】第三の実施形態にかかるベース部材の背面図である。
【図２１】第三の実施形態にかかるベース部材の背面図である。
【図２２】第三の実施形態にかかる制御ボックスの側面図である。
【図２３】第三の実施形態にかかる遊技盤の断面図である。
【図２４】第三の実施形態にかかるベース部材の断面図である。
【図２５】第三の実施形態にかかる第一の符合部と第二の符合部との組み合わせ等を示す表である。
【図２６】第四の実施形態に使用される部材の組み合わせを示す斜視図である。
【図２７】第五の実施形態にかかるパチロットの斜視図である。
【図２８】第五の実施形態にかかるパチロットの背面図である。
【符号の説明】
【０１３５】
１…パチンコ遊技機
１０…外枠
２０…本体枠
３０…遊技盤
３１，１３１，３３１…セーフ球集合板（機種依存部材）
７１，３７１…メイン基板
７２，１７２，３７２…制御ボックス
７２ａ…封止機構
７２ｂ…突起
７２ｃ…ネジ止め穴
７３…ＣＰＵ，ＲＯＭ
７４…音声ランプ制御基板
７５…表示制御基板
７６…電源基板
７７…払出発射基板
７８…ガードユニット接続基板
８０…機構板
８１…タンクレール
８２…カバー部
８２ａ…延設部
８３…払い出し装置ユニット
８４…遊技球タンク
８５…ヒンジ
８６…スイッチ基板
９０，１９０，２９０，３９０，４９０…ベース部材
９１，１９１，２９１，３９１…取り付け面
９２…位置決め穴
９４…固定部
９５，９５…支軸
ｂ１…蓋部
ｂ２…細幅部
４０１…パチロット
Ａ…第一の符合部
Ｂ…貫通穴
Ｃ…第二の符合部
Ｄ，Ｆ…仮穴
Ｅ，Ｇ…符合突起
【図１】
0004552965.tif 000002
【図２】
0004552965.tif 000003
【図３】
0004552965.tif 000004
【図４】
0004552965.tif 000005
【図５】
0004552965.tif 000006
【図６】
0004552965.tif 000007
【図７】
0004552965.tif 000008
【図８】
0004552965.tif 000009
【図９】
0004552965.tif 000010
【図１０】
0004552965.tif 000011
【図１１】
0004552965.tif 000012
【図１２】
0004552965.tif 000013
【図１３】
0004552965.tif 000014
【図１４】
0004552965.tif 000015
【図１５】
0004552965.tif 000016
【図１６】
0004552965.tif 000017
【図１７】
0004552965.tif 000018
【図１８】
0004552965.tif 000019
【図１９】
0004552965.tif 000020
【図２０】
0004552965.tif 000021
【図２１】
0004552965.tif 000022
【図２２】
0004552965.tif 000023
【図２３】
0004552965.tif 000024
【図２４】
0004552965.tif 000025
【図２５】
0004552965.tif 000026
【図２６】
0004552965.tif 000027
【図２７】
0004552965.tif 000028
【図２８】
0004552965.tif 000029